(57)【要約】【課題】操作性に優れ、低コストの洗濯機を提供する。【解決手段】本発明の洗濯機Ｓは、洗濯物が入れられる内槽１０と、内槽１０を収容する外槽２０と、内槽１０を回転駆動するモータ３０と、外槽２０を支持する筐体１とを備え、筐体１には、電源ボタン４ｖと操作表示部４ａとを有する操作パネル４を有し、操作表示部４ａは、一方側に、運転コースを設定する基本設定部５が配置され、他方側に、運転コースの詳細を設定するとともに運転状態が表示される詳細設定・状態表示部６が配置されている。【選択図】図４
2018019974.tif 000002
【特許請求の範囲】
【請求項１】
洗濯物が入れられる内槽と、前記内槽を収容する外槽と、前記内槽を回転駆動するモータと、前記外槽を支持する筐体とを備え、
前記筐体には、電源ボタンと操作表示部とを有する操作パネルを有し、
前記操作表示部は、
一方側に、運転コースを設定する基本設定部が配置され、
他方側に、運転コースの詳細を設定するとともに運転状態が表示される詳細設定・状態表示部が配置されている
ことを特徴とする洗濯機。
【請求項２】
洗濯物が入れられる内槽と、前記内槽を収容する外槽と、前記内槽を回転駆動するモータと、前記外槽を支持する筐体とを備え、
前記筐体には、電源ボタンと操作表示部とを有する操作パネルを有し、
前記操作表示部は、
運転コースを設定する基本設定部と、前記運転コースの詳細を設定するとともに運転状態が表示される詳細設定・状態表示部とを有し、
前記基本設定部と前記詳細設定・状態表示部とは、それぞれ互いに入り組まないまとまった形状に形成されている
ことを特徴とする洗濯機。
【請求項３】
請求項１または請求項２に記載の洗濯機において、
前方から見て向かって右側に前記基本設定部が配置され、向かって左側に前記詳細設定・状態表示部が配置されている
ことを特徴とする洗濯機。
【請求項４】
請求項１または請求項２に記載の洗濯機において、
前記操作パネルは、前記操作表示部の右横に前記電源ボタンが配置されており、
前方から見て向かって右側から左側へ、前記電源ボタン、前記基本設定部、前記詳細設定・状態表示部の順に配置されている
ことを特徴とする洗濯機。
【請求項５】
請求項１または請求項２に記載の洗濯機において、
前記基本設定部は、前記詳細設定・状態表示部よりも目立つ色または彩度や明度が高い色を用いて形成されている
ことを特徴とする洗濯機。
【請求項６】
請求項１または請求項２に記載の洗濯機において、
前記基本設定部における操作ボタンは縦方向に沿って配列され、
前記詳細設定・状態表示部における操作ボタンは横方向に沿って配列されている
ことを特徴とする洗濯機。
【請求項７】
請求項１または請求項２に記載の洗濯機において、
運転を開始、または、運転を一時停止するスタート・一時停止ボタンは、
前記操作パネルにおける他の操作ボタンよりも目立つ色または彩度や明度が高い色を用いて形成されている
ことを特徴とする洗濯機。
【請求項８】
請求項１または請求項２に記載の洗濯機において、
前記操作表示部における操作ボタンは、
使用頻度が高い操作ボタンほど目立つ色または彩度や明度が高い色が用いられている
ことを特徴とする洗濯機。
【請求項９】
対象物を乾燥させる乾燥機能を備える請求項１から請求項８のうちの何れか一項に記載の洗濯機。
【発明の詳細な説明】
【技術分野】
【０００１】
本発明は、洗濯機に関する。
【背景技術】
【０００２】
従来、洗濯乾燥機は、一般に、運転コースなどを選択する操作部と、この操作部によって設定された内容などを表示する表示部とを備えている（特許文献１参照）。
また、表示部としては、運転が終了するまでの残り時間などを表示する、７セグメントの表示器により３桁表示するものが提案されている
【先行技術文献】
【特許文献】
【０００３】
【特許文献１】特開平２−１８９１８５号公報（第２頁左上欄、第５図）
【発明の概要】
【発明が解決しようとする課題】
【０００４】
ところで、昨今の洗濯乾燥機は、機能性が高まり、洗濯、洗濯乾燥などの運転コースを選択する基本設定部と、運転の詳細設定を行ったり状態表示がなされる詳細設定・状態表示部とを備える機種が多い。
【０００５】
基本設定部には、前回の運転コースの設定内容が記憶されるプリセットのまま運転が開始されるスタート／一時停止ボタンを有している。
詳細設定・状態表示部は、詳細設定の内容、運転が終了するまでの残り時間などが表示される
【０００６】
ここで、洗濯乾燥機は、使用者が基本設定や詳細設定の操作ボタンを押下したりなどの操作のし易さが重要である。また、洗濯乾燥機は、操作ボタンや表示部の見易さなどの視認性も使い勝手の面で重要となる。
しかしながら、現状の洗濯乾燥機は、基本設定部と詳細設定とが互いに入り組んで構成されるものが多く、操作性や視認性が良好とは言い難い。
【０００７】
図１７（ａ）は、従来の洗濯乾燥機の操作パネルの一例を示す図であり、図１７（ｂ）は、従来の洗濯乾燥機の操作パネルの回路基板の形状を示す平面図である。
操作パネルＰは、右上に電源入ボタン１０１ａ、電源切ボタン１０１ｂが配置され、右下にスタート／一時停止ボタン１０９が配置されている。
【０００８】
そして、電源入・切ボタン１０１ａ、１０１ｂの左側に、運転コースボタン１０２ａ、１０２ｂ、１０２ｃと、表示部１０３とが配置されている。また、電源入・切ボタン１０１ａ、１０１ｂと運転コースボタン１０２ａ〜１０２ｃの下方には、詳細設定の操作ボタン１０８ａ〜１０８ｋが横に並べて配置されている。
【０００９】
ところで、操作パネルＰの場合、電源入・切ボタン１０１ａ、１０１ｂで使用される電力が大きいため独立して構成する必要があり、回路基板１０４は二点鎖線で示す形状となってしまう。
【００１０】
回路基板１０４は基板の母材が矩形状であり、縦横の長さが短い方が長いものより、１枚の母材からとれる回路基板１０４の枚数が多い。従って、回路基板１０４が同面積でも単純な矩形状のものの方が出っ張りなどを有する形状のものよりも、基板の母材から効率がよい基板取りが行える。
【００１１】
そのため、図１７（ｂ）に示す回路基板１０４の電源入・切ボタン１０１ａ、１０１ｂの配置箇所１０４ｈ（図１７（ｂ）のハッチング部）が無駄になっており、生産コストの上昇に結び付いている。
【００１２】
本発明は上記実状に鑑み、操作性に優れ、低コストの洗濯機の提供を目的とする。
【課題を解決するための手段】
【００１３】
前記課題を解決するため、第１の本発明の洗濯機は、洗濯物が入れられる内槽と、前記内槽を収容する外槽と、前記内槽を回転駆動するモータと、前記外槽を支持する筐体とを備え、前記筐体には、電源ボタンと操作表示部とを有する操作パネルを有し、前記操作表示部は、一方側に、運転コースを設定する基本設定部が配置され、他方側に、運転コースの詳細を設定するとともに運転状態が表示される詳細設定・状態表示部が配置されている。
【００１４】
第２の本発明の洗濯機は、洗濯物が入れられる内槽と、前記内槽を収容する外槽と、前記内槽を回転駆動するモータと、前記外槽を支持する筐体とを備え、前記筐体には、電源ボタンと操作表示部とを有する操作パネルを有し、前記操作表示部は、運転コースを設定する基本設定部と、前記運転コースの詳細を設定するとともに運転状態が表示される詳細設定・状態表示部とを有し、前記基本設定部と前記詳細設定・状態表示部とは、それぞれ互いに入り組まないまとまった形状に形成されている。
【発明の効果】
【００１５】
本発明によれば、操作性に優れ、低コストの洗濯機を提供できる。
【図面の簡単な説明】
【００１６】
【図１】本発明の実施形態に係る洗濯乾燥機を斜め前上方から見た斜視図。
【図２】洗濯乾燥機を中央で鉛直方向に切断した縦断面図。
【図３】未使用状態の操作パネルを示す平面図。
【図４】全点灯状態の操作パネルを示す平面図。
【図５】予約時間・残時間・洗剤量表示部を示す平面図。
【図６】（ａ）および（ｂ）はそれぞれ母材から回路基板を採る状態の例を示す図。
【図７】操作パネルに設けられるＬＥＤとスイッチの配置図。
【図８】（ａ）〜（ｃ）はそれぞれ洗濯乾燥機Ｓの操作パターンを示す図。
【図９】使用者が電源ボタンを押下している状態を示す図。
【図１０】使用者がスタート・一時停止ボタン５ａを押下している状態を示す図。
【図１１】使用者が洗濯ボタンを押下している状態を示す図。
【図１２】使用者が洗→乾ボタンを押下している状態を示す図。
【図１３】使用者が乾燥ボタンを押下している状態を示す図。
【図１４】使用者が清潔ボタンを押下している状態を示す図。
【図１５】使用者が詳細設定・状態表示部の洗いボタンを押下し、洗いの時間設定をしている状態を示す図。
【図１６】変形例の操作パネルを示す図。
【図１７】（ａ）は従来の洗濯乾燥機の操作パネルの一例を示す図、（ｂ）は従来の洗濯乾燥機の操作パネルの回路基板の形状を示す平面図。
【発明を実施するための形態】
【００１７】
以下、本発明の実施形態について、適宜図面を参照しながら詳細に説明する。
図１は、本発明の実施形態に係る洗濯乾燥機Ｓを斜め前上方から見た斜視図であり、図２は洗濯乾燥機Ｓを中央で鉛直方向に切断した縦断面図である。
【００１８】
実施形態の洗濯乾燥機Ｓは、ドラム式の洗濯乾燥機であり、筐体１、筐体１の内部の回転ドラム１０（図２参照）と外槽２０、およびモータ３０を備えている。
なお、以下では洗濯乾燥機Ｓの向かって右側を右側と称し、向かって左側を左側と称す。
【００１９】
筐体１は、鋼板と樹脂成型品とが組み合わされ、ベースＢの上に取り付けられ形成されている。筐体１は、左右の側板１ａ、前面カバー１ｃ、背面カバー１ｄ（図２参照）、上面カバー１ｅ、下部前面カバー１ｆで構成されている。左右の側板１ａは、コの字型の図示しない上補強材、前補強材、後補強材で結合されている。これにより、ベースＢを含めた箱状の筐体１が構成され、筐体として十分な強度を有している。
【００２０】
筐体１の前面カバー１ｃの略中央には、衣類など（洗濯物）を出し入れする投入口を開閉するドア２が、前補強材に設けたヒンジ２ｈで開閉可能に支持されている。ドア２の右手近傍の前面カバー１ｃには、把持することでドア２のロック機構（図示せず）を解除するドア取っ手２ｔが設けられている。
【００２１】
ドア取っ手２ｔを把持することで、ロック機構が解除されてドア２が開放できる一方、ドア２を前面カバー１ｃに押し付けることでドア２が閉じてロックされる。前補強材は、外槽２０（図２参照）の開口部２０ｂとほぼ同心に、洗濯物を出し入れする円形の開口部を有している。
【００２２】
図１に示す筐体１の手前右上部には、操作部、表示部などを有する操作パネル４が設けられ、手前左上部には、洗剤や柔軟剤などを投入する上開き式の洗剤ケース５５が設けられている。
操作パネル４の右側には、電源をＯＮ／ＯＦＦする電源ボタン４ｖが設けられている。操作パネル４、電源ボタン４ｖは、筐体１の上部に設けられた制御装置２００（図２参照）と電気的に接続されている。
【００２３】
操作パネル４の後側には、乾燥フィルタ５６が設けられている。乾燥フィルタ５６は、メッシュ式のフィルタを備えており、乾燥運転時に糸くずや埃などを除去する。
上面カバー１ｅには、風呂の残り湯を汲み上げるホースが接続される吸水ホース接続口７と水道栓と接続される給水ホース接続口８が設けられている。
【００２４】
図２に示すように、筐体１内の回転ドラム１０は、円筒状の洗濯兼脱水槽であり、回転可能に支持されている。回転ドラム１０は、前端面に衣類などを出し入れするための開口部１０ａを有し、その周壁および底壁（奥側）に通水および通風のための多数の貫通孔（図示せず）を有している。開口部１０ａ近くの縁部には、高速回転時の振動を抑制する流体バランサ１０ｂが、回転ドラム１０と一体に設けられている。
【００２５】
また、回転ドラム１０の内周壁には、回転ドラム１０の軸方向に延びるリフタ１０ｃが複数個設けられている。洗濯、乾燥時に回転ドラム１０が回転すると、衣類などがリフタ１０ｃと遠心力で内周壁に沿って持ち上がり、重力で落下する動きを繰り返し、洗濯・乾燥を促進する。なお、回転ドラム１０の回転中心は、開口部１０ａ側が水平方向に対して高い傾斜を有している。
【００２６】
外槽２０は、回転ドラム１０を同軸上に内包し、前面が開口した円筒状に形成されている。外槽２０は、洗濯室および乾燥室として機能する。外槽２０の下部は、下側をベースＢに固定された複数の防振手段９で防振支持されている。防振手段９はコイルばねとショックアブソーバで構成される。一方、外槽２０の上部は、上部補強部材に取り付けた補助ばね（図示せず）で支持され、外槽２０が前後左右方向に倒れないようにしている。
【００２７】
外槽２０の前面には、合成樹脂製の外槽カバー２０ａが設けられ、外槽２０内への貯水を可能としている。外槽カバー２０ａの前側中央には、衣類などを出し入れするための開口部２０ｂが形成されている。開口部２０ｂと前補強材に設けた開口部とは、ゴム製のパッキンで接続されている。パッキンは、外槽２０とドア２との水密性を保つ。
【００２８】
パッキンにより、洗い、すすぎおよび脱水時の外槽２０外への水漏れが防止される。外槽２０の底面には、排水口２０ｃが設けられ、排水ホース８が接続されている。排水ホース８の途中には、排水弁Ｖが設けられ、排水ホース８の先端部は、床面に設けられた排水孔に接続されている。排水弁Ｖを閉じて給水することで外槽２０内に水が貯留され、排水弁Ｖを開くことで外槽２０内の水が排水ホース８を介して機外へ排出される。
【００２９】
モータ３０は、回転ドラム１０を回転駆動するものであり、外槽２０の背面中央に設けられている。なお、モータ３０の回転軸３１は、外槽２０を貫通し、回転ドラム１０の背面に設けられた金属製フランジ１０ｅと結合している。
【００３０】
洗濯乾燥機Ｓは、筐体１の内部に、外槽２０の内部に温風を送る送風ダクト４０を備えている。送風ダクト４０は、外槽２０の背面側を上下方向（鉛直方向）に延びる後ダクト４２と、後ダクト４２に連続して外槽２０の上方を後方から前方に延びる上ダクト４３とを有している。後ダクト４２の下部は、外槽２０の背面下部に設けられた出口２０ｄに柔軟構造のベローズ４１を介して略水平に接続されている。なお、後ダクト４２内には、水冷除湿機構（図示せず）が設けられている。
【００３１】
上ダクト４３の下流側には、送風手段としてのファン４６と加熱手段としてのヒータ４７とを備えた送風ファンユニット４５が設けられている。送風ファンユニット４５が作動すると、ファン４６による吸引力によって上ダクト４３から送風ファンユニット４５内に空気が取り込まれる。
【００３２】
そして、取り込まれた空気は、ヒータ４７を通過することで加熱されて、送風ファンユニット４５の吐出口（図示せず）から排出される。また、空気が後ダクト４２を通過する際、水冷除湿機構によって冷却されて除湿が行われる。送風ファンユニット４５から排出された加熱空気は、温風ダクト３５、ベローズ３６、吹き出しノズル３７を介して回転ドラム１０内に供給される。
【００３３】
図３は、未使用状態の操作パネルを示す平面図である。図４は、全点灯状態の操作パネルを示す平面図である。
操作パネル４は、洗濯乾燥機Ｓの使用に際して、使用者が操作するとともに運転状態を表示する機能を有する。
操作パネル４は、カバー部材５０、印字シート６０、発光素子のＬＥＤ（Light Emitting Diode：発光ダイオード）、７セグメントディスプレイなどで構成されている。操作パネル４は、ＬＥＤなどの発光素子、７セグメントディスプレイで、文字や数字などを発光させ表示する。
【００３４】
カバー部材５０は、合成樹脂製の材料で略矩形状に形成され、筐体１の上面カバー１ｅ、洗剤ケース５５の各表面と面一になるように形成されている（図１参照）。また、印字シート６０はカバー部材５０の表面に一体に成型されている。黒く印刷されたベタ面５１の中に、文字が抜かれていて、グレースモークで着色されており、ＬＥＤが消えているときは黒く見え目立たず、ＬＥＤが光ると文字が見える構成になっている。
ＬＥＤで光る文字部分以外は、同様に着色加工されて、裏側に位置する部材が見えないように構成されている。
【００３５】
＜操作パネル４＞
操作パネル４は、電源ボタン４ｖと操作表示部４ａとを備えている。
操作を分り易くするため、操作の最初のタッチポイントである電源ボタン４ｖを、操作表示部４ａから独立させている。すなわち、部品的に回路基板とは別の独立している電源ボタン４ｖを、ひとまとまりの言わば島状の操作表示部４ａとはエリア的に独立させている。結果として、操作パネル４をシンプルにコンパクトに見せている。
【００３６】
電源ボタン４ｖは、電圧が操作表示部４ａよりも高い。
そこで、電源ボタン４ｖを操作表示部４ａとエリア的に独立させることで、操作表示部４ａの他のボタンや表示を少ない面積でまとめている。これにより、操作表示部４ａを構成する回路基板４ｂ（図６（ｂ）参照）の生産上の基板取りを行い易くしている（詳細は後記）。
【００３７】
＜操作表示部４ａ＞
操作表示部４ａは基本設定部５と詳細設定・状態表示部６とを有している。基本設定部５は、平面視で凸凹（出っ張り）がない、まとまった島状の形状、例えば略矩形状に形成されている。同様に、詳細設定・状態表示部６は、凸凹（出っ張り）がない、まとまった島状の形状、例えば略矩形状に形成されている。換言すれば、基本設定部５と、詳細設定・状態表示部６とは、互いに入り組まないまとまった形状に形成されている。
【００３８】
また、上位の階層の基本設定部５のドアロックボタン５ｂを除く操作ボタン（５ａ、５ｃ、５ｄ、５ｅ、５ｆ）のベース部は例えばオレンジ色や銀色に着色して目立たせ、下位の階層の詳細設定・状態表示部６は黒くして目立たなくした。
【００３９】
洗濯乾燥機Ｓの前部に向かって右から左に向かって、電源ボタン４ｖ、基本設定部５、および詳細設定・状態表示部６の順に、配置されている。電源ボタン４ｖ、基本設定部５、および詳細設定・状態表示部６は使用頻度が高い機能の順に、右から左に配置したものである。これにより、使用者は右手を使って右から左に向かって操作ボタンを押下することで、迅速なボタン操作ができる。
【００４０】
基本設定部５の操作ボタン（５ａ〜５ｆ）は、１機能１操作ボタンとした。また、詳細設定・状態表示部６の操作ボタン（６ａ〜６ｌ）も１機能１操作ボタンとしている。
これにより、操作ボタン（５ａ〜５ｆ、６ａ〜６ｌ）の数は増加する。そこで、詳細設定・状態表示部６の操作ボタン（６ａ〜６ｌ）を横方向に２段に配列し、操作表示部４ａが横方向に広がるのを防ぎ、コンパクトにしている。
【００４１】
＜基本設定部５＞
基本設定部５は、右下に、スタート・一時停止ボタン５ａが配設され、右上に、追加機能ボタン、例えばドアロックボタン５ｂが配設されている。
スタート・一時停止ボタン５ａは、運転のスタート時または運転中に一時停止する場合に押下されるボタンである。スタート・一時停止ボタン５ａは使用頻度が高いので、そのベース部は、操作パネル４において操作ボタンのうちで一番目立つ色または彩度が一番高い色、例えば赤系の色や青系の色などが使用される。
【００４２】
追加機能ボタンのドアロックボタン５ｂは、運転停止時にドア２をロックするボタンである。ドアロックボタン５ｂは運転停止時に所定時間押下し続けることで、ドア２がロックされ、またはロック解除される。
【００４３】
基本設定部５の中央部には、基本設定の運転コースのボタン、すなわち洗濯ボタン５ｃ、洗→乾ボタン５ｄ、乾燥ボタン５ｅ、および清潔ボタン５ｆが縦方向に並んで配設されている。洗濯ボタン５ｃ、洗→乾ボタン５ｄ、乾燥ボタン５ｅ、および清潔ボタン５ｆは、それぞれ洗濯工程、洗濯工程後に乾燥工程、乾燥工程、回転ドラム１０などの洗浄を行う際に押下されるボタンである。
【００４４】
操作表示部４ａは、「スタート・一時停止ボタン」→「基本設定」→「詳細設定」のボタンの順に使用頻度が高くなっている。洗濯ボタン５ｃ、洗→乾ボタン５ｄ、乾燥ボタン５ｅ、および清潔ボタン５ｆは、基本設定部５において、スタート・一時停止ボタン５ａを除いて、一番目立つ色または明度や彩度が高い色、例えば銀色が使用される。追加機能ボタンのドアロックボタン５ｂは、スタート・一時停止ボタン５ａと、運転コースのボタン（５ｃ、５ｄ、５ｅ、５ｆ）のうち一番目立たない色または彩度が低い色、明度が低い色が背景色に使用される。
【００４５】
これにより、基本設定部５において、使用者が操作する頻度が一番高いスタート・一時停止ボタン５ａが彩度や明度によって一番目立つ色とされ、使用者が操作する頻度が二番目に高い基本の運転コースの洗濯ボタン５ｃ、洗→乾ボタン５ｄ、乾燥ボタン５ｅ、および清潔ボタン５ｆが彩度や明度で二番目に目立つ色とされる。
【００４６】
従って、操作ボタン（５ａ、５ｂ、５ｃ、５ｄ、５ｅ、５ｆ）を使用する順（５ａ、５ｃ、５ｄ、５ｅ、５ｆ、５ｂ）に目立つ色から目立たない色とされるので、色調の強弱や色の変化が操作の優先度に伴っており、操作性の向上を図れる。
【００４７】
基本設定部５の左側には、洗濯ボタン５ｃ、洗→乾ボタン５ｄ、乾燥ボタン５ｅ、および清潔ボタン５ｆの何れかが押下された際に、押下された基本運転コースがもつ詳細コースの選択肢が表示される基本設定表示領域５ｇが配設されている。
【００４８】
基本設定表示領域５ｇは、洗濯ボタン５ｃ、洗→乾ボタン５ｄ、乾燥ボタン５ｅ、および清潔ボタン５ｆのそれぞれの左側に配置され、各操作ボタン（５ｃ、５ｄ、５ｅ、５ｆ）を操作したときに設定可能なコースがそれぞれまとめて配置される（図４参照）。なお、「手造り」とは、洗い、すすぎ、脱水を使用者の好みの内容に設定できるモードである。
【００４９】
基本設定表示領域５ｇは、発光素子、例えばＬＥＤを点灯させることで表示される。基本設定表示領域５ｇには、詳細コースの選択肢が全て点灯表示され、選択された詳細コースのみが点灯表示される。運転開始後は、選択された詳細コースのみ表示される。
【００５０】
＜詳細設定・状態表示部６＞
詳細設定・状態表示部６のベースは、使わない時は目立たず、使う時の発光素子、例えばＬＥＤの表示の視認性が良くなるように、操作パネル４のうちの一番目立たない色または一番彩度が低い色、例えば暗色の黒色が使用される。
詳細設定・状態表示部６は、追加機能ボタンのドアロックボタン５ｂより暗い、さらに目立たない色または彩度が低い色が使用される。
【００５１】
これにより、操作パネル４の操作表示部４ａ（基本設定部５と詳細設定・状態表示部６とを有する）において、基本設定部５と詳細設定・状態表示部６において、使用者の操作回数が多い基本設定部５が、使用者の作回数が少ない詳細設定・状態表示部６よりも、目立つ色または彩度が高い色とされる。そのため、基本設定部５と詳細設定・状態表示部６とにおいて、使用者が使用する順に目立つ色から目立たない色とされるので色の変化が操作優先度に対応しており、色の変化で操作を円滑にし、操作性の向上を図れる。
【００５２】
詳細設定・状態表示部６は、前記のように、詳細設定の操作ボタン（６ａ〜６ｌ）が上下に２段となって配置されている。
下段には、左から右へ順に、温水ミストボタン６ａ、洗いボタン６ｂ、すすぎボタン６ｃ、脱水ボタン６ｄ、乾燥ボタン６ｅ、乾燥／乾き具合ボタン６ｆ、お湯取りボタン６ｇ、予約ボタン６ｈが横方向に配設されている。
【００５３】
上段には、左から右へ、自動おそうじボタン６ｉ、温め自動ボタン６ｊ、ナイアガラすすぎ（登録商標）ボタン６ｋ、温風ほぐしボタン６ｌが横方向に配設されている。
上述した基本設定部５の運転コースのボタン（５ｃ、５ｄ、５ｅ、５ｆ）は縦方向に配列されるのに対し、詳細設定・状態表示部６の操作ボタン（６ａ〜６ｌ）は、横方向に配列されるので、基本設定部５と詳細設定・状態表示部６とは、ボタン配置の点でも、操作の動きとしても差別化し、両者の区分けを明瞭にしている。
【００５４】
下段の温水ミストボタン６ａ、洗いボタン６ｂ、脱水ボタン６ｄ、乾燥ボタン６ｅは、それぞれ所要時間を、押下を繰り返し設定するボタンである。温水ミストボタン６ａ、洗いボタン６ｂ、脱水ボタン６ｄ、乾燥ボタン６ｅの各所要時間は各ボタンの上の第１設定表示部６ｏ１に、７セグメントディスプレイで選択肢の時間が表示される。
【００５５】
すすぎボタン６ｃは注水すすぎを何回行うかを、押下を繰り返し設定し、選択されたものが点灯表示される。乾燥／乾き具合ボタン６ｆは、洗濯時の脱水回転速度を変更するボタンであり、「ふつう」（消灯）→「しっかり」（点灯）→「弱め」（点灯）の順で繰り返される。“しっかり”または“弱め”の表示は、文字部分がＬＥＤとの組み合わせで、ＬＥＤを点灯することで表示される。“しっかり”または“弱め”のうち選択されたものが点灯表示される。 
【００５６】
お湯取りボタン６ｇは、風呂の残り湯をポンプで給水するボタンである。お湯取りボタン６ｇは、“洗い”の洗濯運転中、“すすぎ１”のすすぎ１回、または“すすぎ２”のすすぎ２回のうちの何れかに風呂の残り湯を使用するかを、押下を繰り返し設定する。 “洗い”、“すすぎ１”、または“すすぎ２”の表示は、文字部分がＬＥＤとの組み合わせで、ＬＥＤを点灯することで表示される。“洗い”、“すすぎ１”、または“すすぎ２”“のうち選択されたものが点灯表示される。 
予約ボタン６ｈは、予約運転を行う場合に押下する。
【００５７】
上段の自動おそうじボタン６ｉ、温め自動ボタン６ｊ、ナイアガラすすぎボタン６ｋ、温風ほぐしボタン６ｌの上方の第２設定表示部６ｏ２に、それぞれ選択肢の“入”および“切”が表示される。
【００５８】
自動おそうじボタン６ｉ、温め自動ボタン６ｊ、ナイアガラすすぎボタン６ｋ、温風ほぐしボタン６ｌは、それぞれ繰り返し押下することで、表示されるモードを行うか否かを、“入”または“切”で選択する。“入”または“切”は文字部分がＬＥＤとの組み合わせで、ＬＥＤを点灯することで表示される。選択された“入”または“切”はＬＥＤが点灯表示される。
【００５９】
＜予約時間・残時間・洗剤量表示部６ｍ＞
図４に示すように、温風ほぐしボタン６ｌの右側には、予約の時間、洗剤の量、残りの時間が表示される予約時間・残時間・洗剤量表示部６ｍが配置されている。予約の時間、洗剤の量、残りの時間を、それぞれ表す“予約”、“洗剤”、“あと約”は、文字部分がＬＥＤとの組み合わせで、ＬＥＤを点灯することで表示される。“予約”、“洗剤”、“あと約”のうち予約時間・残時間・洗剤量表示部６ｍで表示しているもののみが、表示される。
【００６０】
予約時間・残時間・洗剤量表示部６ｍは、７セグメントディスプレイで表示される。
図５は、予約時間・残時間・洗剤量表示部６ｍを示す平面図である。
予約時間・残時間・洗剤量表示部６ｍは、「０」から「９」までのアラビア数字（算用数字）を７セグメントで表示可能な３連の数字表示部ｍ１、ｍ２、ｍ３と、記号表示部ｍ４、ｍ５、ｍ６とが一体化されて構成されている。
【００６１】
数字表示部ｍ１、ｍ２、ｍ３は、図５の白抜きの８の数字で示すように、左右に並べられて３桁表示としている。
【００６２】
記号表示部ｍ４は、左側の数字表示部ｍ１と中央の数字表示部ｍ２との間に設けられ、残りの運転時間（例えば、「２：３０」）を表示する際に点灯するコロン「：」の記号で構成されている。
【００６３】
記号表示部ｍ５は、中央の数字表示部ｍ２と右側の数字表示部ｍ３との間に設けられ、ピリオド（ドット）を表示する際に点灯する「．」の記号で構成されている。
記号表示部ｍ６は、数字表示部ｍ３の右側に設けられ、ピリオド（ドット）を表示する際に点灯する「．」の記号で構成されている。
【００６４】
予約の時間、洗剤の量、残りの時間は、それぞれ、“時間後”、“杯”、“分”の単位で表される。“時間後”、“杯”、“分”の文字部分は、発光素子のＬＥＤとの組み合わせで発光する構成である。
【００６５】
＜詳細状態表示部６ｎ＞
図４に示すように、上段の自動おそうじボタン６ｉ、温め自動ボタン６ｊ、ナイアガラすすぎボタン６ｋ、温風ほぐしボタン６ｌ、予約時間・残時間・洗剤量表示部６ｍの上部には、詳細な運転状態を表示する詳細状態表示部６ｎが配設されている。
【００６６】
詳細状態表示部６ｎは、“水栓開確認”、“泡消し運転中”などが表示され、警報する必要があるものや所要のものが表示される。詳細状態表示部６ｎの各表示は、ＬＥＤを点灯することで表示される。
【００６７】
＜カバー部材５０＞
カバー部材５０は、印字部と光透過印字部とが形成された印字シート６０を、透明な樹脂で形成されたカバー部材５０の表面に一体成型することなどによって構成されている。印字シート６０は、合成樹脂製で光透過性を有するシート材に印刷処理を施して形成したものである。
【００６８】
カバー部材５０において、電源ボタン４ｖと、基本設定部５のスタート・一時停止ボタン５ａ、ドアロックボタン５ｂ、基本の運転コースの洗濯ボタン５ｃ、洗→乾ボタン５ｄ、乾燥ボタン５ｅ、および清潔ボタン５ｆは、操作面を構成する印字部として、印字シート６０に形成される。
【００６９】
一方、基本設定部５の基本設定表示領域５ｇと詳細設定・状態表示部６における表示は、印字部と、光透過印字部を発光素子の光が透過することで表示される。
そこで、印字シート６０には、基本設定部５の基本設定表示領域５ｇ（図４参照）の表面を構成する光透過印字部が形成されている。
印字シート６０は、予約時間・残時間・洗剤量表示部６ｍに対応する位置にグレースモークが掛かっている窓部６３（図４、図７参照）を有している。窓部６３は、予約時間・残時間・洗剤量表示部６ｍ（図５参照）の表面とほぼ同じ大きさとなるように形成されている。なお、印字シート６０の窓部６３は、予約時間・残時間・洗剤量表示部６ｍに表示された数字などを、印字シート６０を介して視認することができるものであれば、無色透明その他の半透明でもよい。
【００７０】
また、印字シート６０は、下段の温水ミストボタン６ａ、洗いボタン６ｂ、すすぎボタン６ｃ、脱水ボタン６ｄ、乾燥ボタン６ｅ、乾燥／乾き具合ボタン６ｆ、お湯取りボタン６ｇ、予約ボタン６ｈに係る表示、上段の自動おそうじボタン６ｉ、温め自動ボタン６ｊ、ナイアガラすすぎボタン６ｋ、温風ほぐしボタン６ｌに係る表示、詳細設定・状態表示部６などの表面を構成する印字部が形成されている。また、印字シート６０には、第１設定表示部６ｏ１、第２設定表示部６ｏ２、および詳細状態表示部６ｎの表面を構成する光透過印字部が形成されている。
【００７１】
＜回路基板取り＞
図６（ａ）、（ｂ）は、それぞれ母材から回路基板を採る状態の例を示す図である。
回路基板の市場で広く流通する母材４Ｂは、横寸法ｓ１１、縦寸法ｓ１２と定まっている。
電源入・切ボタン１０１ａ、１０１ｂの電圧が高いので、回路基板１０４とは別に構成される。
従来、前記の図１７（ｂ）に示すように、回路基板１０４は電源入・切ボタン１０１ａ、１０１ｂを含めて、全体として矩形になるように基板取りをしているので、横寸法ｓ１０１と縦寸法ｓ１０２の回路基板１０４は、電源入・切ボタン１０１ａ、１０１ｂの配置箇所１０４ｈがある分だけ、横寸法ｓ１０１が長くなっていた（図１７（ａ）参照）。
【００７２】
そのため、横寸法ｓ１１の母材４Ｂを用いて、Ｌ字の外形をもつ横寸法ｓ１０１の回路基板１０４の基板取りをした場合、回路基板１０４を横に２枚しかとれず、効率が悪くなっていた。そのため、母材４Ｂからの基板取りに際して、捨てる部分が出てしまう。
これに対して、図６（ｂ）に示すように、実施形態の洗濯乾燥機Ｓの操作パネル４は、電源ボタン４ｖと操作表示部４ａとを独立して配置し、操作表示部４ａをまとまった島状、例えば、出っ張りのない矩形状に形成している。
【００７３】
そして、詳細設定・状態表示部６における数が多い操作ボタン（６ａ、６ｂ、６ｃ、６ｄ、６ｅ、６ｆ、６ｇ、６ｈ、６ｉ、６ｊ、６ｋ、６ｌ）を横方向に２段に配置している。これにより、操作表示部４ａを構成する回路基板４ｂの横寸法ｓ１（図６（ｂ）参照）を短くした。そのため、図６（ｂ）に示すように、母材４Ｂから横に３枚基板どりを行える。
【００７４】
これにより、実施形態の回路基板４ｂは、基板取りに際して、捨てる部分を極力少なくすることができる。
また、回路基板４ｂが矩形だと、製造工程において、Ｖ字溝を入れて手で折るだけで済む。これに対して、従来のＬ字形の場合、更にミシン目を入れて手で折る工程が加わるため、生産コストが高くなる。
従って、実施形態の回路基板４ｂは、生産コストの低減につながる。
【００７５】
ところで、昨今の狭い住宅事情から、洗濯乾燥機Ｓの直ぐ左または直ぐ右に壁があることが想定される。そこで、図１に示すように、洗濯乾燥機Ｓにおいて、洗剤ケース５５が手前左側に配置されている。これは、洗濯乾燥機Ｓの左側に壁がある場合、無理なく右利きの使用者が右手を使って洗剤ケース５５の開閉が行えるからである。
【００７６】
また、実施形態の洗濯乾燥機Ｓのように、洗剤ケース５５が手前左側に配置されている場合、使用者が腰をかがめることなく洗剤ケース５５にアクセスできるので、使い勝手が良好である。
【００７７】
この場合、上述したように、操作パネル４は、電源ボタン４ｖと操作表示部４ａとを独立して配置し、操作ボタン６ａ〜６ｈと操作ボタン６ｉ〜６ｌとで２段に配置して操作表示部４ａを島状にまとまった形状にする。そのため、操作表示部４ａを形成する回路基板４ｂは、横寸法ｓ１（図６（ｂ）参照）を短くでき、操作表示部４ａの横寸法ｓ９（図１、図３参照）を短くできる。従って、洗剤ケース５５を洗濯乾燥機Ｓの手前の操作パネル４の左側に配置する際に、左右方向にスペースの余裕ができ、洗剤ケース５５を配置する点でも都合がよい。
【００７８】
図７は、操作パネルに設けられるＬＥＤとスイッチの配置図である。
ガイド板１２０には、詳細設定・状態表示部６の発光部群６５（図４参照）に対向する印字シート６０の光透過印字部に対向して、凹状の溝１２３ａがそれぞれ形成され、該各溝１２３ａの底側の中央にＬＥＤ１０３ａがそれぞれ配置されている。
【００７９】
同様にして、ガイド板１２０には、詳細設定・状態表示部６の発光部群６６（図４参照）に対向する位置に、凹状の溝１２４ａがそれぞれ形成され、該各溝１２４ａの中央にＬＥＤ１０３ｂがそれぞれ設置されている。
【００８０】
同様にして、ガイド板１２０には、詳細設定・状態表示部６の下段の温水ミストボタン６ａ、洗いボタン６ｂ、すすぎボタン６ｃ、脱水ボタン６ｄ、乾燥ボタン６ｅ、乾燥／乾き具合ボタン６ｆ、お湯取りボタン６ｇ、予約ボタン６ｈ（図４参照）に対向する位置にそれぞれタクトスイッチ１１１ａが配置されている。上段の自動おそうじボタン６ｉ、温め自動ボタン６ｊ、ナイアガラすすぎボタン６ｋ、温風ほぐしボタン６ｌに対向する位置にそれぞれタクトスイッチ１１１ｂが設置されている。各ボタンが押下されることで、ほぼ円形の部分が紙面奥方向に押し込まれて、ガイド板１２０の裏側に設けられたタクトスイッチ１１１ａ、１１１ｂがＯＮする。
【００８１】
また、ガイド板１２０には、詳細設定・状態表示部６の下段の温水ミストボタン６ａ、洗いボタン６ｂ、すすぎボタン６ｃ、脱水ボタン６ｄ、乾燥ボタン６ｅのそれぞれの上の第１設定表示部６ｏ１に、７セグメントディスプレイ１１２がそれぞれ配置されている。ガイド板１２０には、下段の乾燥／乾き具合ボタン６ｆ、お湯取りボタン６ｇにそれぞれ対向した第１設定表示部６ｏ１に、凹状の溝１２５ａ、１２５ｂが形成され、該溝１２５ａ、１２５ｂの底側の中央にＬＥＤ１０４ａがそれぞれ設置されている。
【００８２】
上段の自動おそうじボタン６ｉ、温め自動ボタン６ｊ、ナイアガラすすぎボタン６ｋ、温風ほぐしボタン６ｌの上方の第２設定表示部６ｏ２に対向して、凹状の溝１２６ａ、１２６ｂ、１２６ｃ、１２６ｄが形成され、該溝１２６ａ、１２６ｂ、１２６ｃ、１２６ｄの底側の中央にＬＥＤ１０４ｂがそれぞれ設置されている。
ガイド板１２０には、詳細設定・状態表示部６の詳細状態表示部６ｎ（図４参照）には、各表示に対向してそれぞれ凹状の溝１２７が形成され、該各溝１２７の底側の中央にそれぞれＬＥＤ１０５が設置されている。
【００８３】
同様に、ガイド板１２０には、基本設定部５のスタート・一時停止ボタン５ａ、ドアロックボタン５ｂ、洗濯ボタン５ｃ、洗→乾ボタン５ｄ、乾燥ボタン５ｅ、および清潔ボタン５ｆに対向して、それぞれタクトスイッチ１１３ａ〜１１３ｅが設置されている。各ボタン（５ａ〜５ｆ）が押下されることで、ほぼ円形または矩形の部分が紙面奥方に押し込まれて、ガイド板１２０の裏側に設けられたタクトスイッチ１１３ａ〜１１３ｅがＯＮするようになっている。
【００８４】
また、ガイド板１２０には、ドアロックボタン５ｂ、洗濯ボタン５ｃ、洗→乾ボタン５ｄ、乾燥ボタン５ｅ、および清潔ボタン５ｆの左側の表示に対向して、ＬＥＤ１０６ａがそれぞれ、凹状の溝１０６ｍの底側の中央に設置されている。
そして、ガイド板１２０には、基本設定表示領域５ｇの各表示に対向してそれぞれ凹状の溝１２８が形成され、該各溝１２８の底側の中央にそれぞれＬＥＤ１０７が設置されている。
【００８５】
なお、制御装置２００は、ＣＰＵ（Central Processing Unit）、ＲＯＭ（Read Only Memory）、ＲＡＭ（Random Access Memory）などで構成され、回路基板４ｂと電気的に接続されており、操作表示部４ａの各操作ボタン（５ａ〜５ｆ、６ａ〜６ｌ）の押圧操作がタクトスイッチ（１１３ａ〜１１３ｅ、１１１ａ、１１１ｂ）によって検出されることで、それに応じて操作パネル４の各種ＬＥＤ、７セグメントディスプレイなどの発光状態による表示が変化するように制御している。
【００８６】
＜洗濯乾燥機Ｓの操作＞
次に、洗濯乾燥機Ｓの操作について説明する。
図８（ａ）〜（ｃ）は、それぞれ洗濯乾燥機Ｓの操作パターンを示す図である。図９は使用者が電源ボタン４ｖを押下している状態を示す図であり、図１０は、使用者がスタート・一時停止ボタン５ａを押下している状態を示す図である。
【００８７】
洗濯乾燥機Ｓは、運転コースに関してプリセットの機能を有している。つまり、洗濯乾燥機Ｓは前回行った洗濯などの運転コースを回路基板４ｂのメモリに記憶する。
そこで、使用者が前回行った洗濯などの運転コースと同じコースを行いたい場合には、図８（ａ）に示すように、まず、電源ボタン４ｖを押下し（図９参照）、続いてスタート・一時停止ボタン５ａを押下する（図１０参照）。これにより、前回と同じ洗濯などの運転コースが開始される。
【００８８】
この操作の際、操作パネル４の右手に電源ボタン４ｖが配置され、電源ボタン４ｖの直ぐ横にスタート・一時停止ボタン５ａが配置されているので、押下操作を迅速に行える。また、スタート・一時停止ボタン５ａは電源ボタン４ｖとともに、運転コース開始時に必ず押下するボタンである。そこで、操作表示部４ａのボタンのうちで、最も目立つ色または彩度や明度が高い色が使用されているので視認性が高く、使用者のボタン操作が円滑かつ迅速に行える。
【００８９】
一方、使用者が前回行った運転コースと異なるコースを行いたい場合には、下記の操作を行う。
図８（ｂ）に示すように、まず、電源ボタン４ｖを押下し（図９参照）、続いて基本設定の運転コースの洗濯ボタン５ｃ、洗→乾ボタン５ｄ、乾燥ボタン５ｅ、および清潔ボタン５ｆのうちの何れかのボタンを押下する（図１１〜図１４参照）。図１１〜図１４は、それぞれ使用者が洗濯ボタン５ｃ、洗→乾ボタン５ｄ、乾燥ボタン５ｅ、清潔ボタン５ｆを押下している状態を示す図である。
【００９０】
この際、基本設定の運転コースのボタンの押下を繰り返すことで、ボタンの左の基本設定表示領域５ｇに表示される設定可能な詳細コースを選択できる（図１１〜図１４参照）。
続いて、スタート・一時停止ボタン５ａを押下する。これにより、基本設定で選択した運転コースが開始される。
【００９１】
ここで、操作パネル４の右手に電源ボタン４ｖが配置され、電源ボタン４ｖの直ぐ左にスタート・一時停止ボタン５ａが配置され、スタート・一時停止ボタン５ａの直ぐ左に、基本設定の運転コースの各操作ボタン（５ｃ、５ｄ、５ｅ５ｆ）が配置されるので、使用者のボタンの押下操作が容易かつ円滑に行える。
【００９２】
また、基本設定の運転コースの操作ボタン（５ｃ、５ｄ、５ｅ、５ｆ）は操作表示部４ａのボタンのうちで、スタート・一時停止ボタン５ａに次いで目立つ色または彩度や明度が高い色が使用され、色調の強弱が操作の優先度に対応している。そのため、視認性の点でも使用者のボタン操作（電源ボタン４ｖ→基本設定の運転コースのボタン（５ｃ、５ｄ、５ｅ、５ｆ）→スタート・一時停止ボタン５ａ）が円滑かつ迅速に行える。
【００９３】
また、使用者が前回行った運転コースと異なる運転コースを行いたく、かつ、その運転コースの詳細な設定を行いたい場合には、下記の操作を行う。
図８（ｃ）に示すように、まず、電源ボタン４ｖを押下し（図９参照）、続いて基本設定の運転コースの操作ボタン（５ｃ、５ｄ、５ｅ、５ｆ）のうちの何れかのボタンを押下する（図１１〜図１４参照）。
【００９４】
続いて、図１５に示すように、詳細設定・状態表示部６の温水ミストボタン６ａ、洗いボタン６ｂ、すすぎボタン６ｃ、脱水ボタン６ｄ、乾燥ボタン６ｅ、乾燥／乾き具合ボタン６ｆ、お湯取りボタン６ｇ、自動おそうじボタン６ｉ、温め自動ボタン６ｊ、ナイアガラすすぎボタン６ｋ、温風ほぐしボタン６ｌのうちの何れかを押下する。なお、図１５は、使用者が詳細設定・状態表示部６の洗いボタン６ｂを押下し、洗いの時間設定をしている状態を示す図である。
【００９５】
使用者は、洗いボタン６ｂの押下を繰り返すことで、洗いの時間（分）を選択することができる。
続いて、スタート・一時停止ボタン５ａを押下する。これにより、基本設定で選択した運転コースが詳細設定・状態表示部６で設定した条件で開始される。
【００９６】
ここで、操作パネル４の右手に電源ボタン４ｖが配置され、電源ボタン４ｖの直ぐ左にスタート・一時停止ボタン５ａが配置され、スタート・一時停止ボタン５ａの直ぐ左に、基本設定の運転コースの操作ボタン（５ｃ、５ｄ、５ｅ、５ｆ）が配置されている。そのため、使用者は、操作パネル４の右手にある電源ボタン４ｖから左に向かって、基本設定の運転コースの操作ボタン（５ｃ、５ｄ、５ｅ、５ｆ）、詳細設定・状態表示部６の操作ボタン（６ａ〜６ｌ）を続けて押下して、設定することができる。
【００９７】
すなわち、使用者のボタン操作（電源ボタン４ｖ→基本設定の運転コースの操作ボタン（５ｃ、５ｄ、５ｅ、５ｆ）→詳細設定・状態表示部６の操作ボタン（６ａ〜６ｌ）→スタート・一時停止ボタン５ａ）が円滑かつ迅速に行える。
この場合、操作表示部４ａにおいて基本設定部５と詳細設定・状態表示部６とはそれぞれ互いに入り組まない島状に形成されているので、互いの境界がはっきりし、操作に手間どらない。
【００９８】
また、操作表示部４ａにおいて基本設定部５の運転コースの操作ボタン（５ｃ、５ｄ、５ｅ、５ｆ）で用いられている色、例えば銀色が、詳細設定・状態表示部６用いられている色、例えば黒色より目立つ（彩度や明度が高い）ので、使用者は優先的に詳細設定・状態表示部６より基本設定部５のボタン（５ｃ、５ｄ、５ｅ、５ｆ）に目が向けられる。従って、操作ボタンの色調の強弱と操作の優先度とが一致しているので、色によって操作性を円滑化し、容易にしている。
【００９９】
＜＜変形形態＞＞
図１６は、変形例の操作パネル１４を示す図である。
変形例の操作パネル１４は、温水ミストボタン６ａ、洗いボタン６ｂ、すすぎボタン６ｃ、脱水ボタン６ｄ、乾燥ボタン６ｅの実施形態の第１設定表示部６ｏ１の７セグメントディスプレイの表示を、ＬＥＤを複数並べてＬＥＤの点灯数で表示する第１設定表示部１６ｏ１としたものである。
【０１００】
つまり、操作パネル１４の温水ミストボタン６ａ、洗いボタン６ｂ、すすぎボタン６ｃ、脱水ボタン６ｄ、乾燥ボタン６ｅをそれぞれ操作したときに、温水ミストの時間、乾燥時間、脱水時間、すすぎ回数、洗い時間を表示する文字部分がＬＥＤとの組み合わせで発光し、ＬＥＤの点灯数が切り替わる構成である。
【０１０１】
なお、温水ミストボタン６ａは、例えば２段階で表示し、洗いボタン６ｂ、すすぎボタン６ｃ、脱水ボタン６ｄ、乾燥ボタン６ｅは、例えばそれぞれ５段階で表示するようになっている。これ以外は、実施形態の操作パネル４と同様であるから、同様な構成要素には同一の符号を付して示し、詳細な説明は省略する。
【０１０２】
温水ミストボタン６ａの第１設定表示部１６ｏ１の“３０”、“９０”の表示の奥側にそれぞれ発光素子６ａ１、例えばＬＥＤが２つガイド板１２０（図７参照）に設置されている。
洗いボタン６ｂの第１設定表示部１６ｏ１の“６”、“９”、“１２”、“１５”、“２５”の表示の奥側にそれぞれ発光素子６ｂ１、例えばＬＥＤが５つガイド板１２０（図７参照）に設置されている。
【０１０３】
すすぎボタン６ｃの第１設定表示部１６ｏ１の“１”、“２”、“３”、“４”、“注水”の表示の奥側にそれぞれ発光素子６ｃ１、例えばＬＥＤが５つガイド板１２０（図７参照）に設置されている。
脱水ボタン６ｄの第１設定表示部１６ｏ１の“１”、“２”、“４”、“７”、“９”の表示の奥側にそれぞれ発光素子６ｄ１が、例えばＬＥＤが５つガイド板１２０（図７参照）に設置されている。
【０１０４】
乾燥ボタン６ｅの第１設定表示部１６ｏ１の“１５”、“３０”、“６０”、“９０”、“自動”の表示の奥側にそれぞれ発光素子６ｅ１が、例えばＬＥＤが５つガイド板１２０（図６参照）に設置されている。
【０１０５】
上記構成により、温水ミストボタン６ａの発光素子６ａ１、洗いボタン６ｂの発光素子６ｂ１、脱水ボタン６ｄの発光素子６ｄ１、乾燥ボタン６ｅの発光素子６ｅ１がそれぞれ点灯して点灯数が切り替わり、設定が行われる。設定後の運転開始後は、発光素子６ａ１、６ｂ１、６ｄ１、６ｅ、６ｅ１は状態表示となり、洗濯や乾燥の工程が終了すると該当する発光素子６ａ１、６ｂ１、６ｄ１、６ｅ１が消灯する。
【０１０６】
また、すすぎボタン６ｃの発光素子６ｃ１が点灯して、設定が行われる。設定後の運転開始後は、発光素子６ｃ１が状態表示となり、洗濯や乾燥の工程が終了すると該当する発光素子６ｃ１が消灯する。
【０１０７】
以上説明したように、本実施形態の洗濯乾燥機Ｓによれば、操作パネル４において、電源ボタン４ｖと操作表示部４ａとを、独立して配置している。そして、操作表示部４ａを、ひとまとまりの島状、例えば略矩形状に形成している。
また、操作表示部４ａは、基本設定部５と詳細設定・状態表示部６とを有している。そして、基本設定部５と詳細設定・状態表示部６とを、互いに入り組まないひとまとまりの島状、例えば略矩形状に形成している。つまり、操作表示部４ａにおいて、基本設定部５を一方側に配置し、詳細設定・状態表示部６を他方側に配置している。これにより、基本の運転コースの設定と、詳細設定・状態表示部６の詳細設定とを明確に区分けでき、操作を円滑に行える。
【０１０８】
そして、電源ボタン４ｖと基本設定部５と詳細設定・状態表示部６とを、操作する頻度が高い順に、または、操作の優先度に応じて右から左に順番に配置している。従って、使用者は、右手が一番近い右から左に操作できるので、操作性が良好である。
【０１０９】
また、電源ボタン４ｖを除いて、一番使用頻度が高いスタート・一時停止ボタン５ａを一番目立つ色とし（彩度や明度で一番目立つ色とし）、電源ボタン４ｖを除いて、二番目に使用頻度が高い基本設定の運転コースの洗濯ボタン５ｃ、洗→乾ボタン５ｄ、乾燥ボタン５ｅ、および清潔ボタン５ｆボタンを二番目に目立つ色とした（彩度や明度で二番目に目立つ色とした）。これにより、使用者は操作表示部４ａを目視することで、使用頻度が高い順に視線が向かうので、視覚的優先度と操作頻度の高低とが合致し、操作性が良い。
【０１１０】
加えて、操作パネル４において、電源ボタン４ｖと独立して操作表示部４ａをまとまった島状に形成したので、母材からの回路基板取りに無駄がなく、生産コストを低減できる。また、操作表示部４ａをまとまった島状にしたので、操作表示部４ａを形成する回路基板４ｂの横寸法ｓ１を短くでき、操作パネル４の横寸法ｓ９（図３参照）を抑えることができる。これにより、操作パネル４の左側に配置する洗剤ケース５５のエリアを充分広くとれる。
従って、操作性に優れ、低コストの洗濯乾燥機Ｓを提供できる。
【０１１１】
＜＜その他の実施形態＞＞
１．前記実施形態では、詳細設定・状態表示部６の操作ボタン（６ａ、６ｂ、６ｃ、６ｄ、６ｅ、６ｆ、６ｇ、６ｉ、６ｊ、６ｋ、６ｌ）は２段に横方向に配列した場合を示したが、３段以上に配列してもよい。
【０１１２】
２．なお、本発明は乾燥機能がないドラム式の洗濯機にも適用できる。また、本発明は鉛直方向に洗濯槽の回転中心をもつ縦型の洗濯乾燥機、乾燥機能がない縦型の洗濯機にも適用できる。また、本発明はこれら以外の他のタイプの洗濯機、洗濯乾燥機にも適用できる。
以上、本発明に係る洗濯機について実施の形態を示して詳細に説明した。なお、本発明の内容は、実施形態に限定されず、その趣旨を逸脱しない範囲内において適宜改変・変更などすることができることはいうまでもない。
【符号の説明】
【０１１３】
１      筐体
４      操作パネル
４ａ    操作表示部
４ｖ    電源ボタン（他の操作ボタン）
５      基本設定部
５ａ    スタート・一時停止ボタン
５ｂ    ドアロックボタン（他の操作ボタン）
５ｃ    洗濯ボタン（他の操作ボタン、基本設定部の操作ボタン）
５ｄ    洗→乾ボタン（他の操作ボタン、基本設定部の操作ボタン）
５ｅ    乾燥ボタン（他の操作ボタン、基本設定部の操作ボタン）
５ｆ    清潔ボタン（他の操作ボタン、基本設定部の操作ボタン）
６      詳細設定・状態表示部
６ａ    温水ミストボタン（他の操作ボタン、詳細設定・状態表示部の操作ボタン）
６ｂ    洗いボタン（他の操作ボタン、詳細設定・状態表示部の操作ボタン）
６ｃ    すすぎボタン（他の操作ボタン、詳細設定・状態表示部の操作ボタン）
６ｄ    脱水ボタン（他の操作ボタン、詳細設定・状態表示部の操作ボタン）
６ｅ    乾燥ボタン（他の操作ボタン、詳細設定・状態表示部の操作ボタン）
６ｆ    乾燥／乾き具合ボタン（他の操作ボタン、詳細設定・状態表示部の操作ボタン）
６ｇ    お湯取りボタン（他の操作ボタン、詳細設定・状態表示部の操作ボタン）
６ｈ    予約ボタン（他の操作ボタン、詳細設定・状態表示部の操作ボタン）
６ｉ    自動おそうじボタン（他の操作ボタン、詳細設定・状態表示部の操作ボタン）
６ｊ    温め自動ボタン（他の操作ボタン、詳細設定・状態表示部の操作ボタン）
６ｋ    ナイアガラすすぎボタン（他の操作ボタン、詳細設定・状態表示部の操作ボタン）
６ｌ    温風ほぐしボタン（他の操作ボタン、詳細設定・状態表示部の操作ボタン）
１０    内槽
２０    外槽
３０    モータ
３５    温風ダクト（乾燥機能）
３６    ベローズ（乾燥機能）
３７    吹き出しノズル（乾燥機能）
４０    送風ダクト（乾燥機能）
４２    後ダクト（乾燥機能）
４３    上ダクト（乾燥機能）
４５    送風ファンユニット（乾燥機能）
４６    ファン（乾燥機能）
４７    ヒータ（乾燥機能
Ｓ      洗濯乾燥機（洗濯機）
【図１】
2018019974.tif 000003
【図２】
2018019974.tif 000004
【図３】
2018019974.tif 000005
【図４】
2018019974.tif 000006
【図５】
2018019974.tif 000007
【図６】
2018019974.tif 000008
【図７】
2018019974.tif 000009
【図８】
2018019974.tif 000010
【図９】
2018019974.tif 000011
【図１０】
2018019974.tif 000012
【図１１】
2018019974.tif 000013
【図１２】
2018019974.tif 000014
【図１３】
2018019974.tif 000015
【図１４】
2018019974.tif 000016
【図１５】
2018019974.tif 000017
【図１６】
2018019974.tif 000018
【図１７】
2018019974.tif 000019